(57)【特許請求の範囲】
【請求項１】
屋根の作業領域の上方に配置される主親綱部と、主親綱部に連結されて作業領域と反対側に延びる補助親綱部とを備えており、
この屋根に係止される親綱であって、主親綱部に連結されて主親綱部より作業領域側に配置される親綱を備えておらず、
この主親綱部が、第一フック、第二フック、第一親綱、第二親綱、第一伸縮調節器、第二伸縮調節器及び連結具を備えており、
この補助親綱部が、第三フック、第三親綱及び第三伸縮調節器を備えており、
屋根の第一縁に第一フックが係止されて、作業領域を間にして第一縁と平行に延びる屋根の第二縁に第二フックが係止されており、
この第一親綱と第一伸縮調節器とが第一フックと連結具とを連結しており、第一伸縮調節器が第一フックと連結具との間の長さを調整可能にして第一親綱を張っており、
この第二親綱と第二伸縮調節器とが第二フックと連結具とを連結しており、第二伸縮調節器が第二フックと連結具との間の長さを調整可能にして第二親綱を張っており、
この第三フックが第一縁と直交して延びる屋根の第三縁に係止され、
この第三親綱と第三伸縮調節器とが第三フックと連結具とを連結しており、第三伸縮調節器が第三フックと連結具との間の長さを調整可能にして第三親綱を張っており、
この主親綱部と補助親綱部とが張られた状態で直交しており、
この主親綱部に安全帯が連結される安全帯取付装置。
【請求項２】
上記連結具が連結具本体、第一連結環、第二連結環及び第三連結環を備えており、
第一連結環が連結具本体の右端部に連結されており、
第二連結環が連結具本体の左端部に連結されており、
第三連結環が連結具本体の上端部に連結されており、
上記第一伸縮調節器が第一連結環に連結されており、
上記第二伸縮調節器が第二連結環に連結されており、
上記第三伸縮調節器が第三連結環に連結されている請求項１に記載の安全帯取付装置。
【請求項３】
屋根の作業領域の上方に配置される主親綱部と、主親綱部に連結されて作業領域と反対側に延びる少なくとも２つの補助親綱部とを備えており、
この一の補助親綱部が、第三フック、第三親綱及び第三伸縮調節器を備えており、
他の補助親綱部が、第四フック、第四親綱及び第四伸縮調節器を備えており、
この主親綱部が、第一フック、第二フック、第一親綱、第二親綱、連結親綱、第一伸縮調節器、第二伸縮調節器、第五伸縮調節器、第一連結具及び第二連結具を備えており、
屋根の第一縁に第一フックが係止されて、作業領域を間にして第一縁と平行に延びる屋根の第二縁に第二フックが係止されており、
この第一親綱と第一伸縮調節器とが第一フックと第一連結具とを連結しており、第一伸縮調節器が第一フックと第一連結具との間の長さを調整可能にして第一親綱を張っており、
この第二親綱と第二伸縮調節器とが第二フックと第二連結具とを連結しており、第二伸縮調節器が第二フックと第二連結具との間の長さを調整可能にして第二親綱を張っており、
この連結親綱と第五伸縮調節器とが第一連結具と第二連結具とを連結しており、第五伸縮調節器が第一連結具と第二連結具との間の長さを調整可能にして連結親綱を張っており、
この第三フックが第一縁と直交して延びる屋根の第三縁に係止され、
この第三親綱と第三伸縮調節器とが第三フックと第一連結具とを連結しており、第三伸縮調節器が第三フックと第一連結具との間の長さを調整可能にして第三親綱を張っており、
この第四フックがこの第三縁に係止され、
この第四親綱と第四伸縮調節器とが第四フックと第二連結具とを連結しており、第四伸縮調節器が第四フックと第二連結具との間の長さを調整可能にして第四親綱を張っており、
この主親綱部と一の補助親綱部及び他の補助親綱部とが張られた状態で直交しており、
この主親綱部に安全帯が連結される安全帯取付装置。
【請求項４】
上記第一連結具及び第二連結具がそれぞれ連結具本体、第一連結環、第二連結環及び第三連結環を備えており、
第一連結環が連結具本体の右端部に連結されており、
第二連結環が連結具本体の左端部に連結されており、
第三連結環が連結具本体の上端部に連結されており、
第一連結具において、上記第一伸縮調節器が第一連結環に連結されており、上記連結親綱の一端と第五伸縮調節器とのうちの一方が第二連結環に連結されており、上記第三伸縮調節器が第三連結環に連結されており、
第二連結具において、上記連結親綱の一端と第五伸縮調節器とのうちの他方が第一連結環に連結されており、上記第二伸縮調節器が第二連結環に連結されており、上記第四伸縮調節器が第三連結環に連結されている請求項３に記載の安全帯取付装置。
【請求項５】
巻取器を備えており、
この巻取器がドラムと、このドラムに繰り出し可能に巻き取られたストラップと、ロック機構とを有しており、
このストラップが常に巻き取る向きに引かれており、ストラップを巻き取る力に抗して人力によりストラップが繰り出し可能にされており、
上記安全帯がストラップの先端部に連結され、上記安全帯がこの巻取器を介して主親綱部に連結され、
このロック機構がストラップが所定の速度以上で繰り出されるとストラップの繰り出しをロックする請求項１から４のいずれかに記載の安全帯取付装置。
【請求項６】
上記巻取器が少なくとも主親綱部を構成する親綱のいずれかに連結され、その連結された親綱の延びる方向に移動可能にされる請求項５に記載の安全帯取付装置。
【請求項７】
リングを備えており、
主親綱部を構成する親綱の張られた部分に湾曲部が形成され、この湾曲部がリングの孔に通されており、
このリングに通された湾曲部に巻取器が連結されている請求項５に記載の安全帯取付装置。
【請求項８】
巻取器が本体及び緩衝カバーを備えており、
緩衝カバーがこの本体を覆っている請求項５から７のいずれかに記載の安全帯取付装置。
【請求項９】
上記第一縁が切妻屋根の一方の螻羽であり、第二縁が他方の螻羽であり、第三縁が一方の軒先であり、
主親綱部が屋根の大棟に沿って張られ、補助親綱部が大棟と交差する方向に張られる請求項１から８のいずれかに記載の安全帯取付装置。
【請求項１０】
上記第一縁が寄せ棟屋根の第一軒先であり、第二縁が第一軒先に平行に延びる第二軒先であり、第三縁が第一軒先に直交する方向に延びる第三軒先であり、
主親綱部が屋根の陸棟に沿って張られ、補助親綱部が陸棟と交差する方向に張られる請求項１から８のいずれかに記載の安全帯取付装置。
【請求項１１】
第一フック、第二フック、第一親綱、第二親綱、第一伸縮調節器、第二伸縮調節器及び連結具を含む主親綱部と、第三フック、第三親綱及び第三伸縮調節器を含む補助親綱部とを準備する、準備工程と、
この第一親綱と第一伸縮調節器とが第一フックと連結具とを連結しており、この第二親綱と第二伸縮調節器とが第二フックと連結具とを連結しており、この第一フックが屋根の第一縁に係止され、第二フックが屋根の作業領域を間にして第一縁に平行に延びる屋根の第二縁に係止されて、この主親綱部が作業領域の上方に配置される主親綱配置工程と、
この第一伸縮調節器が第一フックと連結具との間の長さを調整して、第二伸縮調節器が第二フックと連結具との間の長さを調整して、主親綱部が張られる主親綱張り工程と、
この第三親綱と第三伸縮調節器とが第三フックと連結具とを連結しており、この第三フックが第一縁と直交して延びる屋根の第三縁に係止されて、この補助親綱部が主親綱部に連結されて作業領域と反対側に延びて配置される補助親綱配置工程と、
この第三伸縮調節器が第三フックと連結具との間の長さを調整して、この補助親綱部が主親綱部と直交する向きに張られる補助親綱張り工程と、
を含み、
この主親綱部に安全帯が連結される安全帯取付装置の設置方法。
【請求項１２】
上記準備工程において、巻取器が準備されており、この巻取器がドラムと、このドラムに繰り出し可能に巻き取られたストラップとを有しており、
上記連結具が連結具本体、第一連結環、第二連結環、第三連結環及び第四連結環を備えており、第一連結環が連結具本体の右端部に連結されており、第二連結環が連結具本体の左端部に連結されており、第三連結環が連結具本体の上端部に連結されており、第四連結環が連結具本体の下端部に連結されており、
上記主親綱配置工程、主親綱張り工程、補助親綱配置工程又は補助親綱張り工程のいずれかで、巻取器が連結具の第四連結環に連結されており、この巻取器のストラップの先端部に上記安全帯が連結されている請求項１１に記載の設置方法。
【請求項１３】
屋根の作業領域の上方に配置される主親綱部と、主親綱部に連結されて作業領域と反対側に延びる補助親綱部とを備えており、
この主親綱部が、第一フック、第二フック、第一親綱、第二親綱、第一伸縮調節器、第二伸縮調節器及び連結具を備えており、
この補助親綱部が、第三フック、第三親綱、第三伸縮調節器を備えており、
この第一フックが屋根の第一縁に係止されて、第二フックが作業領域を間にして第一縁に平行に延びる屋根の第二縁に係止されており、
この第一親綱と第一伸縮調節器とが第一フックと連結具とを連結しており、第一伸縮調節器が第一フックと連結具との間の長さを調整可能にして第一親綱を張っており、
この第二親綱と第二伸縮調節器とが第二フックと連結具とを連結しており、第二伸縮調節器が第二フックと連結具との間の長さを調整可能にして第二親綱を張っており、
この第三フックが第一縁と直交して延びる屋根の第三縁に係止され、
この第三親綱と第三伸縮調節器とが第三フックと連結具とを連結しており、第三伸縮調節器が第三フックと連結具との間の長さを調整可能にして第三親綱を張っており、
この主親綱部と補助親綱部とが張られた状態で直交しており、
この主親綱部に安全帯が連結される安全帯取付装置の位置変更方法であって、
張られた補助親綱部が第三伸縮調節器により弛められる補助親綱弛め工程と、
張られた主親綱部が第一伸縮調節器と第二伸縮調節器とにより弛められる主親綱弛め工程と、
主親綱部が弛められた状態で連結具の位置が変更される連結具位置決め工程と、
弛められた主親綱部が第一伸縮調節器と第二伸縮調節器とにより張られる主親綱張り工程と、
弛められた補助親綱部が主親綱部と直交する向きに第三伸縮調節器により張られる補助親綱張り工程と
を含む安全帯取付装置の位置変更方法。
【請求項１４】
作業領域を間にして互いに平行に延びる屋根の第一縁及び第二縁と、この第一縁と第二縁とに直交して延びる第三縁と、この第三縁に平行に延びる第四縁とを備える屋根に安全帯取付装置を設置する方法であって、
第一親綱と、第二親綱と、第三親綱と、第一親綱が連結される第一伸縮調節器と、第二親綱が連結される第二伸縮調節器と、第三親綱が連結される第三伸縮調節器と、この第一伸縮調節器、第二伸縮調節器及び第三伸縮調節器が連結される連結具と、第一親綱の一端に連結される第一フックと、第二親綱の一端に連結される第二フックと、第三親綱の一端に連結される第三フックとが準備される準備工程と、
第四縁に第二フックが仮係止され、この第二フックに連結された第二伸縮調節器に安全帯が連結されて仮係止状態にされる仮係止工程と、
この仮係止工程の後に、第三縁に第三フックが係止され、第三伸縮調節器が連結具に連結されて、第二フックと第三フックとの間で第二親綱と第三親綱とが連結具を介して張られる仮張り工程と、
この仮張り工程の後に、連結具に第一伸縮調節器が連結されて第一フックが第一縁に係止される第一フック係止工程と、
この第一フック係止工程の後に、第二フックの第四縁への係止が解除されて第二フックが第二縁に係止される第二フック係止工程と、
この第二フック係止工程の後に、第一伸縮調節器により第一親綱の一端から第一伸縮調節器までの第一親綱の長さが調節され、第二伸縮調節器により第二親綱の一端から第二伸縮調節器までの第二親綱の長さが調節され、第一親綱と第二親綱とが連結具を間にして張られる主親綱張り工程と、
この主親綱張り工程の後に、第三伸縮調節器により第三親綱の一端から第三伸縮調節器までの第三親綱の長さが調節されて、この第一親綱及び第二親綱と第三親綱とが張られた状態で直交している補助親綱張り工程と
を含む安全帯取付装置の設置方法。
【請求項１５】
上記準備工程において、巻取器が準備されており、この巻取器がドラムと、このドラムに繰り出し可能に巻き取られたストラップとを有しており、
上記連結具が連結具本体、第一連結環、第二連結環、第三連結環及び第四連結環を備えており、第一連結環が連結具本体の右端部に連結されており、第二連結環が連結具本体の左端部に連結されており、第三連結環が連結具本体の上端部に連結されており、第四連結環が連結具本体の下端部に連結されており、
仮張り工程において、第三連結環に第三伸縮調節器が連結されており、
この安全帯がストラップの先端部に連結されており、第四連結環に安全帯が巻取器を介して連結された後に第二伸縮調節器と安全帯との連結が解除されており、この連結が解除された第二伸縮調節器が第四連結環に連結されており、
第一フック係止工程において、第一連結環に第一伸縮調節器が連結されており、
第二フック係止工程において、第四連結環と第二伸縮調節器との連結が解除されて、この連結が解除された第二伸縮調節器と第二連結環とが連結されている請求項１４に記載の設置方法。
【発明の詳細な説明】
【技術分野】
【０００１】
本発明は、安全帯取付装置に関する。詳細には、本発明は、建物の屋根の上での作業に用いられる安全帯取付装置に関する。
【背景技術】
【０００２】
建物の屋根の上で行う作業では、墜落防止が図られる。屋根の上では作業者が安全帯を着用する。安全帯取付装置が屋根に設置される。この安全帯取付装置に安全帯が連結される。これにより、作業者が屋根から墜落することが抑止される。
【０００３】
従来の安全帯取付装置の使用例が特許第２９９１６１２号公報に開示されている。図１７には、アンテナ設置作業での安全帯取付装置２の使用状態が示されている。この図１７は、切妻屋根４での使用状態を示している。親綱６は、一方のフック８ａから大棟１０を超えて他方のフック８ｂまで延びている。一方のフック８ａは一方の軒先１２ａに係止され、他方のフック８ｂは他方の軒先１２ｂに係止されている。この使用状態では、屋根の一平面全域での作業の際に、親綱６が作業の妨げになる。
【０００４】
図１８は、雪下ろし作業での安全帯取付装置２の使用状態が示されている。この使用状態では、一方のフック８ａは一方の螻羽１４ａに係止され、他方のフック８ｂは他方の螻羽１４ｂに係止されている。親綱６は、一方の螻羽１４ａから他方の螻羽１４ｂに延びている。この親綱６が大棟１０に近い位置で大棟１０に沿って配置されているので、親綱６が作業の妨げとなりにくい。屋根一面全体での作業がし易い。
【先行技術文献】
【特許文献】
【０００５】
【特許文献１】特許第２９９１６１２号公報
【発明の概要】
【発明が解決しようとする課題】
【０００６】
建物の屋根形状には、例示した切妻の他に、寄せ棟、入母屋、方形、片流れ等がある。寄せ棟、入母屋、方形等の屋根では、平面視における何れの方向でも屋根中央部が周辺部より高くなっている。この様な屋根では、親綱が屋根中央部から周辺部にずれると、張られた親綱が緩む。この様な屋根では、図１８に示されるように、親綱を張ることが難しい。この様な屋根では、図１８の様に安全帯取付装置を使用することは難しい。
【０００７】
切妻や片流れ等の屋根では、一方の螻羽から他方の螻羽まで一直線に親綱を張ることができる。親綱が屋根中央部から周辺部にずれても、張られた親綱が緩みにくい。この様な屋根では、図１８に示されたように親綱を張ることができる。しかし、この親綱は、同時に複数の作業者が落下する際には、親綱の位置ずれが大きくなる。親綱の位置ずれにより作業者の落下距離が大きい。一本の親綱で複数の作業者の安全を確保することが難しい。複数の作業者が作業する場合、安全帯取付装置を複数設置する必要があり手間がかかる。
【０００８】
本発明の目的は、安全性に優れ、親綱が作業の障害になりにくい安全帯取付装置の提供にある。
【課題を解決するための手段】
【０００９】
本発明に係る安全帯取付装置は、屋根の作業領域の上方に配置される主親綱部と、主親綱部に連結されて作業領域と反対側に延びる補助親綱部とを備えている。
この主親綱部は、第一フック、第二フック、第一親綱、第二親綱、第一伸縮調節器、第二伸縮調節器及び連結具を備えている。
この補助親綱部は、第三フック、第三親綱及び第三伸縮調節器を備えている。
屋根の第一縁に、第一フックが係止されている。作業領域を間にして第一縁と平行に延びる屋根の第二縁に、第二フックが係止されている。この第一親綱と第一伸縮調節器とは、第一フックと連結具とを連結している。第一伸縮調節器は、第一フックと連結具との間の長さを調整可能にして第一親綱を張っている。この第二親綱と第二伸縮調節器とは、第二フックと連結具とを連結している。第二伸縮調節器は、第二フックと連結具との間の長さを調整可能にして第二親綱を張っている。
この第三フックは、第一縁と直交して延びる屋根の第三縁に係止されている。この第三親綱と第三伸縮調節器とは、第三フックと連結具とを連結している。第三伸縮調節器は、第三フックと連結具との間の長さを調整可能にして第三親綱を張っている。
この主親綱部と補助親綱部とは、張られた状態で直交している。この安全帯取付装置では、この主親綱部に安全帯が連結される。
【００１０】
好ましくは、この安全帯取付装置では、上記連結具は、連結具本体、第一連結環、第二連結環及び第三連結環を備えている。第一連結環は、連結具本体の右端部に連結されている。第二連結環は、連結具本体の左端部に連結されている。第三連結環は、連結具本体の上端部に連結されている。上記第一伸縮調節器は、第一連結環に連結されている。上記第二伸縮調節器は、第二連結環に連結されている。上記第三伸縮調節器は、第三連結環に連結されている。
【００１１】
本発明に係る他の安全帯取付装置は、屋根の作業領域の上方に配置される主親綱部と、主親綱部に連結されて作業領域と反対側に延びる少なくとも２つの補助親綱部とを備えている。この一の補助親綱部は、第三フック、第三親綱及び第三伸縮調節器を備えている。他の補助親綱部は、第四フック、第四親綱及び第四伸縮調節器を備えている。
この主親綱部は、第一フック、第二フック、第一親綱、第二親綱、連結親綱、第一伸縮調節器、第二伸縮調節器、第五伸縮調節器、第一連結具及び第二連結具を備えている。
屋根の第一縁に第一フックが係止されている。作業領域を間にして第一縁と平行に延びる屋根の第二縁に第二フックが係止されている。
この第一親綱と第一伸縮調節器とは、第一フックと第一連結具とを連結している。第一伸縮調節器は、第一フックと第一連結具との間の長さを調整可能にして、第一親綱を張っている。
この第二親綱と第二伸縮調節器とは、第二フックと第二連結具とを連結している。第二伸縮調節器は、第二フックと第二連結具との間の長さを調整可能にして、第二親綱を張っている。
この連結親綱と第五伸縮調節器とは、第一連結具と第二連結具とを連結している。第五伸縮調節器は、第一連結具と第二連結具との間の長さを調整可能にして、連結親綱を張っている。
この第三フックは、第一縁と直交して延びる屋根の第三縁に係止されている。この第三親綱と第三伸縮調節器とは、第三フックと第一連結具とを連結している。第三伸縮調節器は、第三フックと第一連結具との間の長さを調整可能にして、第三親綱を張っている。
この第四フックがこの第三縁に係止されている。この第四親綱と第四伸縮調節器とは、第四フックと第二連結具とを連結している。第四伸縮調節器は、第四フックと第二連結具との間の長さを調整可能にして、第四親綱を張っている。
この主親綱部と一の補助親綱部及び他の補助親綱部とは、張られた状態で直交している。この主親綱部に安全帯が連結される。
【００１２】
好ましくは、上記第一連結具及び第二連結具は、それぞれ連結具本体、第一連結環、第二連結環及び第三連結環を備えている。第一連結環は、連結具本体の右端部に連結されている。第二連結環は、連結具本体の左端部に連結されている。第三連結環は、連結具本体の上端部に連結されている。
第一連結具において、上記第一伸縮調節器は、第一連結環に連結されている。上記連結親綱の一端と第五伸縮調節器とのうちの一方は、第二連結環に連結されている。上記第三伸縮調節器は、第三連結環に連結されている。
第二連結具において、上記連結親綱の一端と第五伸縮調節器とのうちの他方は、第一連結環に連結されている。上記第二伸縮調節器は、第二連結環に連結されている。上記第四伸縮調節器は、第三連結環に連結されている。
【００１３】
好ましくは、この安全帯取付装置は、巻取器を備えている。この巻取器は、ドラムと、このドラムに繰り出し可能に巻き取られたストラップと、ロック機構とを有している。このストラップは、常に巻き取る向きに引かれている。ストラップを巻き取る力に抗して人力により、ストラップは繰り出し可能にされている。上記安全帯は、ストラップの先端部に連結されている。上記安全帯は、この巻取器を介して主親綱部に連結されている。このロック機構は、ストラップが所定の速度以上で繰り出されるとストラップの繰り出しをロックする。
【００１４】
好ましくは、この安全帯取付装置の巻取器は、少なくとも主親綱部を構成する親綱のいずれかに連結されている。この巻取器は、その連結された親綱の延びる方向に移動可能にされる。
【００１５】
好ましくは、この安全帯取付装置は、リングを備えている。この安全帯取付装置では、主親綱部を構成する親綱の張られた部分に湾曲部が形成され、この湾曲部がリングの孔に通されており、このリングに通された湾曲部に巻取器が連結されている。
【００１６】
好ましくは、この安全帯取付装置では、巻取器が本体及び緩衝カバーを備えている。緩衝カバーは、この本体を覆っている。
【００１７】
好ましくは、この安全帯取付装置では、上記第一縁は、切妻屋根の一方の螻羽である。第二縁は、他方の螻羽である。第三縁は、一方の軒先である。主親綱部は、屋根の大棟に沿って張られる。補助親綱部は、大棟と交差する方向に張られる。
【００１８】
好ましくは、この安全帯取付装置では、上記第一縁は、寄せ棟屋根の第一軒先である。第二縁は、第一軒先に平行に延びる第二軒先である。第三縁は、第一軒先に直交する方向に延びる第三軒先である。主親綱部は、屋根の陸棟に沿って張られる。補助親綱部は、陸棟と交差する方向に張られる。
【００１９】
本発明に係る安全帯取付装置の設置方法は、第一フック、第二フック、第一親綱、第二親綱、第一伸縮調節器、第二伸縮調節器及び連結具を含む主親綱部と、第三フック、第三親綱及び第三伸縮調節器を含む補助親綱部とを準備する、準備工程と、
この第一親綱と第一伸縮調節器とが第一フックと連結具とを連結しており、この第二親綱と第二伸縮調節器とが第二フックと連結具とを連結しており、この第一フックが屋根の第一縁に係止され、第二フックが屋根の作業領域を間にして第一縁に平行に延びる屋根の第二縁に係止されて、この主親綱部が作業領域の上方に配置される主親綱配置工程と、
この第一伸縮調節器が第一フックと連結具との間の長さを調整して、第二伸縮調節器が第二フックと連結具との間の長さを調整して、主親綱部が張られる主親綱張り工程と、
この第三親綱と第三伸縮調節器とが第三フックと連結具とを連結しており、この第三フックが第一縁と直交して延びる屋根の第三縁に係止されて、この補助親綱部が主親綱部に連結されて作業領域と反対側に延びて配置される補助親綱配置工程と、
この第三伸縮調節器が第三フックと連結具との間の長さを調整して、この補助親綱部が主親綱部と直交する向きに張られる補助親綱張り工程とを含む。
この設置方法では、この主親綱部に安全帯が連結される。
【００２０】
好ましくは、この設置方法では、上記準備工程において、巻取器が準備されており、この巻取器がドラムと、このドラムに繰り出し可能に巻き取られたストラップとを有している。上記連結具は、連結具本体、第一連結環、第二連結環、第三連結環及び第四連結環を備えている。第一連結環は連結具本体の右端部に連結されている。第二連結環は連結具本体の左端部に連結されている。第三連結環は連結具本体の上端部に連結されている。第四連結環は連結具本体の下端部に連結されている。上記主親綱配置工程、主親綱張り工程、補助親綱配置工程又は補助親綱張り工程のいずれかで、巻取器が連結具の第四連結環に連結される。この巻取器のストラップの先端部に安全帯が連結されている。
【００２１】
本発明に係る安全帯取付装置の位置変更方法では、安全帯取付装置は、屋根の作業領域の上方に配置される主親綱部と、主親綱部に連結されて作業領域と反対側に延びる補助親綱部とを備えている。この主親綱部は、第一フック、第二フック、第一親綱、第二親綱、第一伸縮調節器、第二伸縮調節器及び連結具を備えている。この補助親綱部は、第三フック、第三親綱、第三伸縮調節器を備えている。
この安全帯取付装置では、この第一フックは、屋根の第一縁に係止されている。第二フックは、作業領域を間にして第一縁に平行に延びる屋根の第二縁に係止されている。この第一親綱と第一伸縮調節器とは、第一フックと連結具とを連結している。第一伸縮調節器は、第一フックと連結具との間の長さを調整可能にして、第一親綱を張っている。この第二親綱と第二伸縮調節器とは、第二フックと連結具とを連結している。第二伸縮調節器は、第二フックと連結具との間の長さを調整可能にして、第二親綱を張っている。この第三フックは、第一縁と直交して延びる屋根の第三縁に係止されている。この第三親綱と第三伸縮調節器とは、第三フックと連結具とを連結している。第三伸縮調節器は、第三フックと連結具との間の長さを調整可能にして、第三親綱を張っている。この主親綱部と補助親綱部とは、張られた状態で直交している。この主親綱部に安全帯が連結される。
この安全帯取付装置の位置変更方法は、張られた補助親綱部が第三伸縮調節器により弛められる補助親綱弛め工程と、張られた主親綱部が第一伸縮調節器と第二伸縮調節器とにより弛められる主親綱弛め工程と、主親綱部が弛められた状態で連結具の位置が変更される連結具位置決め工程と、弛められた主親綱部が第一伸縮調節器と第二伸縮調節器とにより張られる主親綱再張り工程と、弛められた補助親綱部が主親綱部と直交する向きに第三伸縮調節器により張られる補助親綱再張り工程とを含む。
【００２２】
本発明に係る他の安全帯取付装置の設置方法は、作業領域を間にして互いに平行に延びる屋根の第一縁及び第二縁と、この第一縁と第二縁とに直交して延びる第三縁と、この第三縁に平行に延びる第四縁とを備える屋根に安全帯取付装置を設置する方法である。
この方法は、第一親綱と、第二親綱と、第三親綱と、第一親綱が連結される第一伸縮調節器と、第二親綱が連結される第二伸縮調節器と、第三親綱が連結される第三伸縮調節器と、この第一伸縮調節器、第二伸縮調節器及び第三伸縮調節器が連結される連結具と、第一親綱の一端に連結される第一フックと、第二親綱の一端に連結される第二フックと、第三親綱の一端に連結される第三フックとが準備される準備工程と、
第四縁に第二フックが仮係止され、この第二フックに連結された第二伸縮調節器に安全帯が連結されて仮係止状態にされる仮係止工程と、
この仮係止工程の後に、第三縁に第三フックが係止され、第三伸縮調節器が連結具に連結されて、第二フックと第三フックとの間で第二親綱と第三親綱とが連結具を介して張られる仮張り工程と、
この仮張り工程の後に、連結具に第一伸縮調節器が連結されて第一フックが第一縁に係止される第一フック係止工程と、
この第一フック係止工程の後に、第二フックの第四縁への係止が解除されて第二フックが第二縁に係止される第二フック係止工程と、
この第二フック係止工程の後に、第一伸縮調節器により第一親綱の一端から第一伸縮調節器までの第一親綱の長さが調節され、第二伸縮調節器により第二親綱の一端から第二伸縮調節器までの第二親綱の長さが調節され、第一親綱と第二親綱とが連結具を間にして張られる主親綱張り工程と、
この主親綱張り工程の後に、第三伸縮調節器により第三親綱の一端から第三伸縮調節器までの第三親綱の長さが調節されて、この第一親綱及び第二親綱と第三親綱とが張られた状態で直交している補助親綱張り工程とを含む。
【００２３】
好ましくは、この設置方法では、上記準備工程において、巻取器が準備されている。この巻取器は、ドラムと、このドラムに繰り出し可能に巻き取られたストラップとを有している。上記連結具は、連結具本体、第一連結環、第二連結環、第三連結環及び第四連結環を備えている。第一連結環は、連結具本体の右端部に連結されている。第二連結環は、連結具本体の左端部に連結されている。第三連結環は、連結具本体の上端部に連結されている。第四連結環は、連結具本体の下端部に連結されている。
仮張り工程において、第三連結環に第三伸縮調節器が連結されている。この安全帯は、ストラップの先端部に連結されている。第四連結環に安全帯が巻取器を介して連結された後に第二伸縮調節器と安全帯との連結が解除されている。この連結が解除された第二伸縮調節器は、第四連結環に連結されている。
第一フック係止工程において、第一連結環に第一伸縮調節器が連結されている。
第二フック係止工程において、第四連結環と第二伸縮調節器との連結が解除されて、この連結が解除された第二伸縮調節器と第二連結環とが連結されている。
【発明の効果】
【００２４】
本発明に係る安全帯取付装置では、補助親綱部が作業者が落下する向きへの主親綱部の位置ずれを抑制する。作業者の落下距離が短い。この安全帯取付装置は、安全性に優れている。この安全帯取付装置は、主親綱部及び補助親綱部が作業領域を避けて張られうるので、作業性に優れる。伸縮調節器により長さが容易に変更できるので、主親綱部及び補助親綱部が張られる位置の変更が容易にされている。
【図面の簡単な説明】
【００２５】
【図１】図１は、本発明の一実施形態に係る安全帯取付装置の使用状態が切妻屋根と共に示された平面図である。
【図２】図２（ａ）は図１の安全帯取付装置のフックが示された側面図であり、図２（ｂ）はその正面図である。
【図３】図３は、図１の安全帯取付装置の連結具が示された平面図である。
【図４】図４は、図１の安全帯取付装置の親綱と伸縮調節器とが示された平面図である。
【図５】図５は、図４の矢印Ｖで示された部分拡大図である。
【図６】図６は、図１の安全帯取付装置の巻取器が示された平面図である。
【図７】図７は、図１の矢印VIIで示された部分拡大図である。
【図８】図８は、図１の安全帯取付装置のＯ環と親綱と巻取器の一部とが示された説明図である。
【図９】図９は、図１の安全帯取付装置の設置方法の一例の前半の説明図である。
【図１０】図１０は、図１の安全帯取付装置の設置方法の一例の後半の説明図である。
【図１１】図１１は、図１の安全帯取付装置の使用状態が示された説明図である。
【図１２】図１２は、本発明に他の実施形態に係る安全帯取付装置が示された平面図である。
【図１３】図１３は、本発明に他の実施形態に係る安全帯取付装置の巻取器の一部が親綱と共に示された説明図である。
【図１４】図１４は、図１の安全帯取付装置の使用状態が寄せ棟屋根と共に示された平面図である。
【図１５】図１５は、本発明の更に他の実施形態に係る安全帯取付装置の使用状態が示された平面図である。
【図１６】図１６は、落下試験の説明図である。
【図１７】図１７は、従来の安全帯取付装置の使用状態が示された説明図である。
【図１８】図１８は、従来の安全帯取付装置の他の使用状態が示された説明図である。
【発明を実施するための形態】
【００２６】
以下、適宜図面が参照されつつ、好ましい実施形態に基づいて本発明が詳細に説明される。
【００２７】
図１の二点鎖線で囲まれている領域Ｗは、作業者の作業領域を示している。ここでは、説明の便宜上、図１に示される作業領域Ｗを含む屋根の傾斜方向上方を上下方向上方として、この屋根の平面上で傾斜方向に直交する方向を左右方向として説明がされる。図１に示された安全帯取付装置１６は、主親綱部１８及び補助親綱部２０を備えている。主親綱部１８は、第一フック２４ａ、第二フック２４ｂ、連結具２６、第一親綱２８ａ、第二親綱２８ｂ、第一伸縮調節器３０ａ及び第二伸縮調節器３０ｂを備えている。補助親綱部２０は、第三フック２４ｃ、第三親綱２８ｃ及び第三伸縮調節器３０ｃを備えている。この安全帯取付装置１６は、更に、第一巻取器３２ａ、第二巻取器３２ｂ、第三巻取器３２ｃ、第一リングとしてのＯ環３４ａ及び第二リングとしてのＯ環３４ｂを備えている。
【００２８】
図２に示された第一フック２４ａは、柄部３６、係止部３８（３８ａ、３８ｂ）、連結環４０及び被覆４２を備えている。係止部３８は、真っ直ぐに延びた柄部３６の先端から柄部３６に対して直角に屈曲して延びる係止部本体３８ａとこの係止部本体３８ａの先端から係止部本体３８ａに対して直角に屈曲して延びる先端部３８ｂとからなっている。この先端部３８ｂは、柄部３６と平行に延びている。この柄部３６と係止部３８とから、鉤型形状が形成されている。この柄部３６の後端部に、連結環４０が溶接により固定されている。連結環４０には、貫通孔４４が形成されている。後端部を除く柄部３６と係止部３８とは、被覆４２により覆われている。この被覆４２の材料として、例えばポリ塩化ビニル樹脂、ゴム等が例示される。
【００２９】
図３に示された連結具２６は、連結具本体４６及び連結環としてのＤ環（４８ａから４８ｄ）を備えている。連結具本体４６は、一対の帯５０ａ及び５０ｂからなる。この帯５０ａ及び５０ｂは、例えばポリエステル、ポリアミド、アラミドなどの合成繊維からなる。一方の帯５０ａの中央部と他方の帯５０ｂの中央部とが直角に交差して一体に縫合されている。図３の平面視において、この帯５０ａの右端部に第一連結環としてのＤ環４８ａが連結され、帯５０ａの左端部に第二連結環としてのＤ環４８ｂが連結されている。この帯５０ｂの上端部に第三連結環としてのＤ環４８ｃが連結され、帯５０ｂの下端部に第四連結環としてのＤ環４８ｄが連結されている。
【００３０】
図４には、第一親綱２８ａが第一伸縮調節器３０ａと共に示されている。この第一親綱２８ａは、綱本体５２及びカラビナ５４を備えている。綱本体５２の一端にカラビナ５４が連結されている。このカラビナ５４が第一親綱２８ａの一端を構成している。綱本体５２は、第一伸縮調節器３０ａに通されている。綱本体５２は、第一伸縮調節器３０ａに連結されている。
【００３１】
図５に示された第一伸縮調節器３０ａは、本体５６、第一爪５８、第二爪６０、握り桿６２、連結部６４及び弾性体としてのバネ６６を備えている。バネ６６の付勢力により、本体５６と第一爪５８及び第二爪６０とが第一親綱２８ａを挟み込んでいる。挟み込むことで、第一伸縮調節器３０ａは、第一親綱２８ａに固定される。本体５６、第一爪５８、第二爪６０、握り桿６２及びバネ６６は、第一親綱２８ａに対してのスライドを阻止してロックしている。
【００３２】
この第一伸縮調節器３０ａでは、矢印Ｘで示された一方向きに連結部６４の上部が引かれると、第一爪５８及び第二爪６０はバネ６６の付勢力に抗して反時計回りの向きに回動する。本体５６と第一爪５８及び第二爪６０とが第一親綱２８ａの挟み込みを解除する。この第一伸縮調節器３０ａのロックが解除され、第一伸縮調節器３０ａは第一親綱２８ａに沿ってスライド可能にされる。この第一伸縮調節器３０ａでは、握り桿６２を本体５６に近付く向き（矢印Ｆ向き）に握ることでも、第一爪５８及び第二爪６０はバネ６６の付勢力に抗して回動する。
【００３３】
図６に示された第一巻取器３２ａは、本体６８、ストラップ７０、フック７２、カラビナ７４及び緩衝カバー７６を備えている。本体６８の上部にカラビナ７４が連結されている。ストラップ７０は、例えば細幅織りベルトからなる。ストラップ７０の先端部には、フック７２が連結されている。本体６８は、緩衝カバー７６に覆われている。この緩衝カバー７６は、例えば塩化ビニル樹脂からなる。
【００３４】
図示されないが、本体６８は、回動可能に取り付けられたドラムと、渦巻ばねと、遠心爪と、爪受けとを備えている。ストラップ７０はこのドラムに巻き取られている。渦巻ばねは、ストラップ７０が巻き取られる回転向きにドラムを付勢している。この渦巻ばねにより、ストラップ７０は常に巻き取られる向きに引かれている。この渦巻ばねにより、人力でストラップ７０が繰り出し可能に巻き取られている。遠心爪はドラムに回動可能に取り付けられている。ストラップ７０が繰り出される他方の回転向きに所定の速度以上で、ドラムが回転すると、遠心爪は遠心力によりドラムの径方向外向きに回動する。爪受けは、外向きに回動した遠心爪と係合するように取り付けられている。この爪受けと遠心爪との係合により、ドラムの回転が阻止される。この爪受けと遠心爪とがストラップ７０の引き出しを阻止するロック機構を構成している。
【００３５】
ここでは、第一フック２４ａ、第一親綱２８ａ、第一伸縮調節器３０ａ及び第一巻取器３２ａについて説明がされた。第二フック２４ｂ、第二親綱２８ｂ、第二伸縮調節器３０ｂ及び第二巻取器３２ｂと、第三フック２４ｃ、第三親綱２８ｃ、第三伸縮調節器３０ｃ及び第三巻取器３２ｃとは、ここで説明した同様の構造であり、その説明は省略される。
【００３６】
図１に示されるように、第一親綱２８ａの一端のカラビナ５４が第一フック２４ａの連結環４０に連結される。図７に示されるように、第一伸縮調節器３０ａの連結部６４が連結具２６のＤ環４８aに連結される。この連結は例示であって、第一親綱２８ａと第一伸縮調節器３０ａとが第一フック２４ａと連結具２６とを連結していればよい。例えば、この連結に代えて、このカラビナ５４がＤ環４８ａに連結されて、連結部６４が第一フック２４の連結環４０に連結されてもよい。
【００３７】
図１及び図７に示されるように、同様にして、第二親綱２８ｂと第二フック２４ｂと連結具２６のＤ環４８ｂとが連結される。第二親綱２８ｂと第二伸縮調節器３０ｂとが第二フック２４ｂと連結具２６とを連結している。第三親綱２８ｃと第三フック２４ｃと連結具２６のＤ環４８ｃとが連結される。第三親綱２８ｃと第三伸縮調節器３０ｃとが第三フック２４ｃと連結具２６とを連結している。第一フック２４ａが一方の螻羽７８ａに係止される。第二フック２４ｂが螻羽７８ａに平行に延びる他方の螻羽７８ｂに係止される。この螻羽７８ａと螻羽７８ｂは作業領域Ｗを間にして延びている。第三フック２４ｃが螻羽７８ａに直交する方向に延びる一方の軒先８０ａに係止される。この様にして、第一フック２４ａ、第二フック２４ｂ及び第三フック２４ｃがそれぞれ屋根の縁（螻羽７８ａ、螻羽７８ｂ、軒先８０ａ）に係止される。
【００３８】
図５に示した第一伸縮調節器３０ａの本体５６と握り桿６２とが握られる。握り桿６２が矢印Ｆの向きに移動させられる。第一親綱２８ａの挟み込みが解除される。第一親綱２８ａの一端のカラビナ５４から第一伸縮調節器３０ａまでの第一親綱２８ａの長さが調節される。本体５６と握り桿６２とを握る力が弱められると、バネ６６の付勢力により、握り桿６２が矢印Ｆの向きと逆向きに移動させられる。本体５６と第一爪５８及び第二爪６０とが第一親綱２８ａを挟み込む。第一伸縮調節器３０ａは、第一親綱２８ａに固定される。同様にして、第二親綱２８ｂの一端のカラビナ５４から第二伸縮調節器３０ｂまでの第二親綱２８ｂの長さが調節される。同様にして、第三親綱２８ｃの一端のカラビナ５４から第三伸縮調節器３０ｃまでの第三親綱２８ｃの長さが調節される。
【００３９】
図８（ａ）に示されたＯ環３４ａは、金属からなる。第一親綱２８ａの一端と第一伸縮調節器３０ａとの間で、第一親綱２８ａに湾曲部８２が形成される。図８（ｂ）に示されるように、湾曲部８２がＯ環３４ａの孔に通される。図８（ｃ）に示されるように、Ｏ環３４ａに通された湾曲部８２に第一巻取器３２ａのカラビナ７４が連結される。図示されないが、親綱２８ａが張られると、湾曲部８２が小さくなり、カラビナ７４がＯ環３４ａに押し付けられて固定される。このようにして、第一親綱２８ａと第一巻取器３２ａとが連結される。図示されないが、Ｏ環３４ｂは、Ｏ環３４ａと同じものである。第二親綱２８ｂと第二巻取器３２ｂとは、第一親綱２８ａと第一巻取器３２ａと同様にＯ環３４ｂを用いて連結される。
【００４０】
図７に示されるように、連結具２６のＤ環４８ｄに第三巻取器３２ｃのカラビナ７４が連結される。
【００４１】
第一伸縮調節器３０ａと第二伸縮調節器３０ｂと第三伸縮調節器３０ｃとにより、第一親綱２８ａの長さと第二親綱２８ｂの長さと第三親綱２８ｃの長さとが調節され、第一親綱２８ａ、第二親綱２８ｂ及び第三親綱２８ｃが予め定められた所定の張力で張られる。
【００４２】
これにより、図１に示されるように、第一親綱２８ａと第二親綱２８ｂとが連結具２６を間にして一直線状に張られる。主親綱部１８が作業領域Ｗの上方に配置されている。第三親綱２８が第一親綱２８ａと第二親綱２８ｂとに直交して張られる。補助親綱部２０は、主親綱部１８の長手方向の中央に連結されている。補助親綱部２０は、作業領域Ｗとは反対側に延びている。
【００４３】
図１の角度θ１は、第一親綱２８ａと第三親綱２８ｃとがなす角度を示している。角度θ２は、第二親綱２８ｂと第三親綱２８ｃとがなす角度を示している。図１に示されるように、この主親綱部１８と補助親綱部２０とは、張られた状態で直交している。この発明において、張られた状態で直交しているとは、直交する向きに張ることを意味する。例えば、主親綱部１８を一直線に張った後に、補助親綱部２０を直交する向きに張ると、連結具２６が第三フック２４ｃ側に引き寄せられる。図１のように切妻では、角度θ１及び角度θ２は、９０°より大きくなる。このようにして、主親綱部１８と補助親綱部２０とが張られた状態も、本発明では、主親綱部１８と補助親綱部２０とが張られた状態で直交しているとしている。
【００４４】
ここで、図１及び図７を参照しつつ、安全帯取付装置１６の設置方法の一例が説明される。第一フック２４ａ、第二フック２４ｂ、第三フック２４ｃ、第一親綱２８ａ、第二親綱２８ｂ、第三親綱２８ｃ、第一伸縮調節器３０ａ、第二伸縮調節器３０ｂ、第三伸縮調節器３０ｃ及び連結具２６が準備される。これは、準備工程である。この例では、この準備工程では、更に、第一巻取器３２ａ、第二巻取器３２ｂ、第三巻取器３２ｃ、Ｏ環３４ａ及びＯ環３４ｂが準備される。
【００４５】
第一親綱２８ａの一端のカラビナ５４に第一フック２４ａが連結されている。第一親綱２８ａの綱本体５２が第一伸縮調節器３０ａに通されて、第一親綱２８ａが第一伸縮調節器３０ａに連結されている。同様にして、第二親綱２８ｂの一端に第二フック２４ｂが連結され、第二親綱２８ｂに第二伸縮調節器３０ｂが連結されている。第三親綱２８ｃの一端に第三フック２４ｃが連結され、第三親綱２８ｃに第三伸縮調節器３０ｃが連結されている。この準備工程で、これらの親綱、フック及び伸縮調節器の連結がされてもよいし、予め連結された状態で準備されてもよい。
【００４６】
この第一フック２４ａが螻羽７８ａに係止される。第一伸縮調節器３０ａが連結具２６のＤ環４８ａに連結される。第二フック２４ｂが螻羽７８ｂに係止される。第二伸縮調節器３０ｂが連結具２６のＤ環４８ｂに連結される。この螻羽７８ａと７８ｂとは、屋根の作業領域Ｗを間にして平行に延びている。このようにして、主親綱部１８が作業領域Ｗの上方に配置される。これは、主親綱配置工程である。
【００４７】
第一伸縮調節器３０ａにより、第一フック２４ａと連結具２６との間の長さが調整される。第二伸縮調節器３０ｂにより、第二フック２４ｂと連結具２６との間の長さが調整される。このようにして、主親綱部１８が張られる。これは、主親綱張り工程である。
【００４８】
第三フック２４ｃが軒先８０ａに係止される。第三伸縮調節器３０ｃが連結具２６のＤ環４８ｃに連結される。このようにして、この補助親綱部２０は、主親綱部１８に連結されて、作業領域Ｗと反対側に延びて配置される。これは、補助親綱配置工程である。
【００４９】
この第三伸縮調節器３０ｃにより、第三フック２４ｃと連結具２６との間の長さが調整される。このようにして、この補助親綱部２０が主親綱部１８と直交する向きに張られる。これは、補助親綱張り工程である。
【００５０】
図８に示されるように、第一親綱２８ａに、Ｏ環３４ａを用いて、第一巻取器３２ａのカラビナ７４が連結される。第二親綱２８ｂに、Ｏ環３４ｂを用いて、第二巻取器３２ｂのカラビナ７４が連結される。更に、連結具２６のＤ環４８ｄに第三巻取器３２ｃのカラビナ７４が連結される。これは、巻取器取付工程である。これらの巻取器のストラップ７０の先端に作業者の安全帯が連結される。
【００５１】
この例では、準備工程、主親綱配置工程、主親綱張り工程、補助親綱配置工程、補助親綱張り工程、巻取器取付工程の順に説明がされたが、主親綱張り工程の前に、補助親綱配置工程がされてもよい。また、巻取器取付工程で、第三巻取器３２ｃが連結具２６に連結されたが、第三巻取器３２ｃは、主親綱配置工程、主親綱張り工程、補助親綱配置工程又は補助親綱張り工程で連結されてもよい。
【００５２】
図９及び図１０を参照しつつ、この安全帯取付装置１６の他の設置方法が説明される。
【００５３】
第一親綱２８ａ、第二親綱２８ｂ、第三親綱２８ｃ、第一伸縮調節器３０ａ、第二伸縮調節器３０ｂ、第三伸縮調節器３０ｃ、連結具２６、第一フック２４ａ、第二フック２４ｂ、第三フック２４ｃとが準備される。これは準備工程である。更に、この例では、第一巻取器３２ａ、第二巻取器３２ｂ、第三巻取器３２ｃ、Ｏ環３４ａ及びＯ環３４ｂが準備される。
【００５４】
第一親綱２８ａの一端のカラビナ５４に第一フック２４ａが連結されている。第一親綱２８ａの綱本体５２が第一伸縮調節器３０ａに通されて、第一親綱２８ａが第一伸縮調節器３０ａに連結されている。同様にして、第二親綱２８ｂの一端に第二フック２４ｂが連結され、第二親綱２８ｂに第二伸縮調節器３０ｂが連結されている。第三親綱２８ｃの一端に第三フック２４ｃが連結され、第三親綱２８ｃに第三伸縮調節器３０ｃが連結されている。この準備工程で、これらの親綱、フック及び伸縮調節器の連結がされてもよいし、予め連結された状態で準備されてもよい。
【００５５】
図９（ａ）には、第四縁としての軒先８０ｂ側から屋根に登った作業者が示されている。この軒先８０ｂは屋根の作業領域Ｗの下方に位置している。この軒先８０ｂに第二フック２４ｂが仮係止される。第二伸縮調節器３０ｂに作業者の安全帯が連結される。このようにして、安全帯が第二親綱２８ｂに連結された仮係止状態になる。これは、仮係止工程である。
【００５６】
作業者は、第二伸縮調節器３０ｂの握り桿６２を本体５６に近付く向きに握っている。これにより、第二親綱２８ｂに対して第二伸縮調節器３０ｂが移動可能にされている。図９（ｂ）に示されるように、作業者が大棟８３を越えて、第三縁としての軒先８０ａに向かって移動する。作業者は、第二伸縮調節器３０ｂから手を離して第二親綱２８ｂに第二伸縮調節器３０ｂを固定する。軒先８０ａに第三フック２４ｃが係止される。図９（ｃ）に示されるように、第三伸縮調節器３０ｃが連結具２６のＤ環４８ｃに連結される。この連結具２６のＤ環４８ｄに第三巻取器３２ｃが連結される。第三巻取器３２ｃのフック７２に安全帯が連結される。安全帯にこのフック７２と第二伸縮調節器３０ｂとが連結された状態で、作業者が軒先８０ｂに向かって移動して、大棟８３を越える。大棟８３を越えた作業領域Ｗの上方で、第二伸縮調節器３０ｂと安全帯との連結が解除される。第二伸縮調節器３０ｂが連結具２６のＤ環４８ｄに連結される。連結具２６が作業領域Ｗの上方に位置させられる。第二伸縮調節器３０ｂ及び第三伸縮調節器３０ｃにより、第二親綱２８ｂと第三親綱２８ｃとが連結具２６を間にして仮に張られる。これにより、第二親綱２８ｂと第三親綱２８ｃとの弛みが除かれる。これは、仮張り工程である。
【００５７】
図１０（ａ）に示されるように、第一伸縮調節器３０ａが連結具２６のＤ環４８ａに連結される。第一フック２４ａが第一縁としての螻羽７８ａに係止される。第一伸縮調節器３０ａにより、第一親綱２８ａの弛みが除かれる。これは、第一フック係止工程である。
【００５８】
第二伸縮調節器３０ｂにより、仮に張られた第二親綱２８ｂが弛められる。第二フック２４ｂの軒先８０ｂへの係止が解除される。図１０（ｂ）に示されるように、第二伸縮調節器３０ｂが連結具２６のＤ環４８ｂに連結される。第二フック２４ｂが第二縁としての螻羽７８ｂに係止される。第一親綱２８ａ、第二親綱２８ｂ及び連結具２６は、作業領域Ｗの上方に配置されている。これは、第二フック係止工程である。
【００５９】
第一伸縮調節器３０ａにより、第一親綱２８ａの一端から第一伸縮調節器３０ａまでの第一親綱２８ａの長さが調節される。第二伸縮調節器３０ｂにより、第二親綱２８ｂの一端から第二伸縮調節器３０ｂまでの第二親綱２８ｂの長さが調節される。こうして、第一親綱２８ａと第二親綱２８ｂとが連結具２６を間にして所定の張力で張られる。これにより、主親綱部１８が作業領域Ｗの上方に張られる。これは、主親綱張り工程である。
【００６０】
第三伸縮調節器３０ｃにより、第三親綱２８ｃの一端から第三伸縮調節器３０ｃまでの第三親綱２８ｃの長さが調節される。第三親綱２８ｃが所定の張力で張られる。第三親綱２８ｃと第一親綱２８ａ及び第二親綱２８ｃとが直交する向きに張られる。これにより、補助親綱部２０が作業領域Ｗと反対側に配置されて張られる。これは、補助親綱張り工程である。
【００６１】
図１０（ｃ）に示されるように、第一親綱２８ａに、Ｏ環３４ａを用いて、第一巻取器３２ａのカラビナ７４が連結される。第二親綱２８ｂに、Ｏ環３４ｂを用いて、第二巻取器３２ｂのカラビナ７４が連結される。これは、巻取器取付工程である。
【００６２】
この設置方法によれば、最初に軒先８０ｂに第二フック２４ｂが仮係止されて、安全帯が第二親綱２８ｂに連結される。この仮係止された状態で、第三フック２４ｃが軒先８０ａに係止される。第二親綱２８ｂと第三親綱２８ｃと共に仮張りされた連結具２６に安全帯が連結された状態で第一フック２４ａが螻羽７８ａに係止される。第一親綱２８ａと第三親綱２８ｃに連結された連結具２６に安全帯が連結された状態で第二フック２４ｂが螻羽７８ｂに係止される。屋根からの墜落は、螻羽７８ａ、螻羽７８ｂ、軒先８０ａ及び軒先８０ｂの近辺での作業で発生し易い。この設置方法によれば、より安全に安全帯取付装置１６が設置される。
【００６３】
作業者が、図９（ｂ）に示されるように、仮係止状態で大棟８３を越えた以後、常に落下を防止する親綱に連結されている。この設置方法によれば、より安全に安全帯取付装置が設置できる。
【００６４】
更に、第二親綱２８ｂと第三親綱２８ｃとが仮に張られた状態で、螻羽７８ａに係止された第一フック２４ａと第一伸縮調節器３０ａとの間の第一親綱２８ａの弛みが除かれている。この状態で、第二フック２４ｂが軒先８０ｂから螻羽７８ｂに係止される。これにより、第三親綱２８ｃが第一親綱２８ａと第二親綱２８ｂとに直交する向きに張られることが容易にされている。
【００６５】
図１１に示されるように、第一巻取器３２ａが作業者Ａのハーネス型安全帯に連結されている。図示されないが、第一巻取器３２ａのフック７２がハーネス型安全帯の連結環に連結されている。同様にして、第二巻取器３２ｂが作業者Ｂのハーネス型安全帯に連結されている。第三巻取器３２ｃが作業者Ｃのハーネス型安全帯に連結されている。ここでは、安全帯として、ハーネス型安全帯を例示するが、胴ベルト型安全帯でも同様に連結され得る。
【００６６】
この安全帯取付装置１６では、第一親綱２８ａと第二親綱２８ｂとが連結具２６を間にして対向する位置に張られている。第一親綱２８ａと第二親綱２８ｂとが一直線状に張られている。第一親綱２８ａ及び第二親綱２８ｂと下方の軒先８０ｂとの間の傾斜平面が作業領域Ｗとされる。この第一親綱２８ａと第二親綱２８ｂとが作業領域Ｗの上方に位置する。
【００６７】
この第一フック２４ａの係止と第二フック２４ｂの係止とは、作業領域Ｗを間にして平行に延びる螻羽７８ａと螻羽７８ｂとの間で、作業領域Ｗの上方に主親綱部１８を張れれば良い。この安全帯取付装置１６及びその設置方法では、第一フック２４ａが作業領域Ｗの右側に位置する螻羽７８ａに係止され、第二フック２４ｂが左側に位置する螻羽７８ｂに係止される例で説明がされたが、第一フック２４ａが螻羽７８ｂに係止され、第二フック２４ｂが螻羽７８ａに係止されて、主親綱部１８が張られてもよい。
【００６８】
図１１では、切妻屋根の大棟８３に沿って第一親綱２８ａと第二親綱２８ｂとが張られている。第三親綱２８ｃが大棟８３を横切って交差する向きに張られている。この安全帯取付装置１６の設置では、第三親綱２８ｃが第一親綱２８ａと第三親綱２８ｃとがなす角度θ１と第二親綱２８ｂと第三親綱２８ｃとがなす角度θ２とが、ほぼ等しくなる向きに張られている（図１参照）。この切妻屋根では、主親綱部１８を太陽光発電モジュールＤが配置される作業領域Ｗの範囲より上方に配置することで、太陽光発電モジュールＤの配置作業に親綱が邪魔にならない。この安全帯取付装置１６は、作業領域Ｗより上方に配置することができるので作業効率に優れている。
【００６９】
この安全帯取付装置１６では、フック２４ａ、２４ｂ及び２４ｃは、屋根の縁に係止される。親綱の端部が地面で固定される安全帯取付装置では、ベランダ、バルコニー等の壁面から突出している障害物を避けて親綱を配置する必要がある。この安全帯取付装置１６では、第一親綱２８ａ、第二親綱２８ｂ及び第三親綱２８ｃの配置に、この様な障害物が障害にならない。第一親綱２８ａ、第二親綱２８ｂ及び第三親綱２８ｃの配置の自由度が大きい。
【００７０】
この主親綱部１８と補助親綱部２０とは、張られた状態で直交している。これにより、作業者が万一落下しそうになった場合には、補助親綱部２０が主親綱部１８が下方に向かって位置ずれすることを最小限に抑制している。この安全帯取付装置１６では、作業者の落下距離が短い。落下により、作業者が受ける衝撃が小さい。この主親綱部１８と補助親綱部２０とが張られた状態で直交しているとは、張られた主親綱部１８の下方への位置ずれが最小限になるように、補助親綱部２０が主親綱部１８に対して張られることを意味する。また、主親綱部１８の下方への位置ずれを最小限にする観点から、補助親綱部２０は、主親綱部１８の長手方向中央に位置することが好ましい。
【００７１】
この観点から、角度θ１及び角度θ２は、８０°以上１００°以下が好ましい。この角度θ１は、連結具２６が位置する平面において、連結具２６から第一親綱２８ａが延びる向きと第三親綱２８ｃが延びる向きとの角度として測定される。この角度θ２は、連結具２６から第二親綱２８ｂが延びる向きと第三親綱２８ｃが延びる向きとの角度として測定される。
【００７２】
図１１では、第一巻取器３２ａを介して作業者Ａのハーネス型安全帯に連結されている。作業者Ａが第一巻取器３２ａから離れる向きに移動すると、ストラップ７０が巻き取る力に抗して繰り出される。これにより、作業者Ａの作業は阻害されない。
【００７３】
第一巻取器３２ａは、Ｏ環３４ａに通された湾曲部８２に連結されている（図８参照）。これにより、カラビナ７４が第一親綱２８ａに対してその長手方向に移動することが抑制されている。第一親綱２８ａが張られた状態では、第一巻取器３２ａは、第一親綱２８ａの長手方向への移動が抑制されている。
【００７４】
作業者Ａが移動すると、Ｏ環３４ａで連結された位置を基点にして、第一巻取器３２ａの本体６８が作業者Ａの移動向きに動く。この第一巻取器３２ａは緩衝カバー７６で覆われているので、第一巻取器３２ａが擦られて屋根材を損傷することが抑制されている。特に作業者Ａが屋根から落下すると、第一ブロック３２ａの本体６８は大きな力を受けて急激に動く。作業者Ａが屋根から落下する際にも、第一巻取器３２ａによる屋根材の損傷が比較的に小さく抑制される。
【００７５】
第一巻取器３２ａは、作業者Ａが第一巻取器３２ａに近付く向きに移動すると、ストラップ７０の弛む分を巻き取る。これにより、ストラップ７０が必要な長さ以上に繰り出されることが抑制されている。この第一巻取器３２ａは、ロック機構を備えているので、万一作業者Ａが屋根から落下する場合に、ストラップ７０の繰り出しがロックされる。さらに、作業者Ａの落下の際に、第三親綱２８ｃにより第一親綱２８ａと第一巻取器３２ａとの下方への位置ずれが抑制されている。第一親綱２８ａと第一巻取器３２ａとの位置ずれが小さいので、ロック機構が早く働く。ストラップ７０の繰り出し距離も短くなる。これにより、落下距離が一層短くなる。
【００７６】
この安全帯取付装置１６では、作業者Ａが屋根から落下する場合に落下距離が短い。落下距離が短いので、作業者Ａが受ける衝撃も小さい。ここでは、第一巻取器３２ａを例に説明がされたが、第二巻取器３２ｂ及び第三巻取器３２ｃでも同様の効果が得られる。
【００７７】
万一、作業者Ａが螻羽７８ａから落下しても、Ｏ環３４ａにより、第一巻取器３２ａが螻羽７８ａの向きに第一親綱２８ａに対して移動することが抑制されている。これにより、作業者Ａの落下距離が短い。ここでは、第一巻取器３２ａを例に説明がされたが、第二巻取器３２ｂでも、Ｏ環３４ｂにより、同様の効果が得られる。この安全帯取付装置１６では、安全性に優れている。
【００７８】
図１２（ａ）には、安全帯取付装置１６の連結具２６に第三巻取器３２ｃが連結された実施形態が示されている。図１２（ｂ）には、第一親綱２８ａに第一巻取器３２ａが連結された実施形態が示されている。図示されないが、第二親綱２８ｂに第二巻取器３２ｂだけが連結されて使用されてもよい。さらに、第一巻取器３２ａから第三巻取器３２ｃのうちのいずれか２つが第一親綱２８ａ、第二親綱２８ｂ及び連結具２６の何れかにそれぞれ連結されて使用されてもよい。この安全帯取付装置１６では、主親綱部１８に安全帯が連結される。補助親綱部２０により作業者の落下距離が短いので、より安全に作業ができる。また、例えば、第一親綱２８ａに二人の作業者の安全帯が連結されると、一方の作業者が落下した際の衝撃が、第一親綱２８ａを介して、他方の作業者にも伝わりやすい。一方の作業者の落下による、他方の作業者の転倒や落下等を防止する観点から、親綱（第一親綱２８ａ、第二親綱２８ｂ）に連結される安全帯は、それぞれに一つとすることが推奨される。
【００７９】
図１２（ｃ）では、第三フック２４ｃが軒先８０ａ中央部より右側部に係止されている。第三親綱２８ｃは、中央より螻羽７８ａに近い位置に配置されている。この安全帯取付装置１６は、建物の構造等により軒先８０ａの中央部に第三フック２４ｃが係止できない場合にも、使用し得る。さらに、作業範囲が屋根の右側に偏っている場合には、図１２（ｃ）のようにすることで、作業中に繰り出されるストラップ７０の長さを短くできる。第三親綱２８ｃにより、作業者の落下に伴う第一巻取器３２ａ、第二巻取器３２ｂ及び第三巻取器３２ｃの下方への移動量が小さくされ得る。
【００８０】
この安全帯取付装置１６の位置変更方法が説明される。この変更方法は、補助親綱弛め工程、主親綱弛め工程、連結具位置決め工程、主親綱再張り工程及び補助親綱再張り工程を含む。補助親綱弛め工程では、張られた補助親綱部２０が第三伸縮調節器３０ｃにより弛められる。主親綱弛め工程では、張られた主親綱部１８が第一伸縮調節器３０ａと第二伸縮調節器３０ｂとにより弛められる。主親綱弛め工程では、主親綱部１８が第一伸縮調節器３０ａと第二伸縮調節器３０ｂとの両方により弛められても良いし、いずれか一方により弛められてもよい。連結具位置決め工程では、主親綱部１８が弛められた状態で、連結具２６の位置が変更される。主親綱再張り工程では、弛められた主親綱部１８が第一伸縮調節器３０ａと第二伸縮調節器３０ｂとにより張られる。主親綱再張り工程では、主親綱部１８が第一伸縮調節器３０ａと第二伸縮調節器３０ｂとの両方により張られても良いし、いずれか一方により張られてもよい。補助親綱再張り工程では、弛められた補助親綱部２０が主親綱部１８と直交する向きに第三伸縮調節器３０ｃにより張られる。
【００８１】
この安全帯取付装置１６では、第一伸縮調節器３０ａ、第二伸縮調節器３０ｂ及び第三伸縮調節器３０ｃにより、第一親綱２８ａ、第二親綱２８ｂ及び第三親綱２８ｃの長さが容易に調節される。これにより、図１２（ｃ）のように、第三フック２４ｃの係止位置が容易に変更され得る。この安全帯取付装置１６では、第一フック２４ａ、第二フック２４ｂ及び第三フック２４ｃを屋根の縁に係止した状態で、設置位置を変更することができる。更に、第一伸縮調節器３０ａ、第二伸縮調節器３０ｂ及び第三伸縮調節器３０ｃが連結具２６に連結されているので、一箇所でそれぞれの長さが調節され得る。
【００８２】
さらに、第一フック２４ａ、第二フック２４ｂ及び第三フック２４ｃは、屋根の縁に係止されているので、屋根上で係止位置の変更ができる。親綱（２８ａ、２８ｂ及び２８ｃ）が作業の障害となるときにも、係止位置が容易に変更され得る。親綱の端部が地面で固定される安全帯取付装置に比べて、親綱の配置の変更が容易にされている。
【００８３】
この安全帯取付装置１６では、第一親綱２８ａ、第二親綱２８ｂ及び第三親綱２８ｃが連結具２６のそれぞれ異なる連結環（Ｄ環４８ａ、４８ｂ又は４８ｃ）に連結されているので、第一親綱２８ａ、第二親綱２８ｂ及び第三親綱２８ｃが弛められた状態でも互いに絡み合い難い。図１の実施形態から図１２（ｃ）の実施形態に変更する際にも、親綱（２８ａ、２８ｂ及び２８ｃ）が互いに絡み合い難い。これにより、安全帯取付装置１６の屋根への最初の設置の際に、又は設置位置の変更の際に、設置作業が容易にされている。
【００８４】
図１３では、第一親綱２８ａに第一巻取器３２ａのカラビナ７４が連結されている他の実施形態が示されている。カラビナ７４の孔に第一親綱２８ａが通されている。このカラビナ７４は、第一親綱２８ａの延びる方向に移動可能にされている。この実施形態では、作業者Ａが第一親綱２８ａに沿って移動する際に、第一巻取器３２ａが第一親綱２８ａに沿って移動する。これにより、作業者Ａが親綱２８ａに沿って移動するとき、ストラップ７０の繰り出し長さが短くされ得る。
【００８５】
図１４は、寄せ棟の屋根に安全帯取付装置１６が取り付けられた使用状態が示されている。寄せ棟の屋根では、屋根の縁として軒先８４ａと、軒先８４ａに平行に延びる軒先８４ｂと、軒先８４ａに直交する方向に延びる軒先８６ａ及び８６ｂとを備えている。第一フック２４ａが軒先８４ａに係止され第二フック２４ｂが軒先８４ｂに係止されている。第一親綱２８ａと第二親綱２８ｂは陸棟８８に沿って張られている。第三フック２４ｃは軒先８６ａに係止されている。安全帯取付装置１６の設置では、第三親綱２８ｃが、第一親綱２８ａの張られる向き及び第二親綱２８ｂの張られる向きに直交する向きに張られている。例えば、第三親綱２８ｃが、第一親綱２８ａと第三親綱２８ｃとがなす角度θ１と第二親綱２８ｂと第三親綱２８ｃとがなす角度θ２とがほぼ等しくなる向きに、張られている。
【００８６】
この安全帯取付装置１６では、寄せ棟の屋根においても、第一親綱２８ａと第二親綱２８ｂとが屋根中央部から軒先８６ｂ側に移動することが抑制されている。第一親綱２８ａと第二親綱２８ｂとが緩むことが抑制されている。安全帯取付装置１６は、切妻、片流れ等の他に、寄せ棟、入母屋、方形等でも、親綱の緩みを抑制され得る。安全帯取付装置１６は、何れの方向に対しても屋根中央部が周辺部より高くなっている屋根に対しても、親綱の緩みを抑制され得る。この図１４では、連結具２６の帯５０ｂの上端部が陸棟と交差しているが、図１１と同様に、第三親綱２８ｃが陸棟と交差してもよい。
【００８７】
図１５には、本発明に係る更に他の安全帯取付装置９０が示されている。ここでは、安全帯取付装置１６と同じ構成については、同じ記号を用いて説明がされる。安全帯取付装置１６と同じ構成については、その説明が省略される。
【００８８】
この安全帯取付装置９０は、主親綱部９２、一の補助親綱部９４ａ、他の補助親綱部９４ｂ、第一巻取器３２ａ、第二巻取器３２ｂ、第三巻取器３２ｃ、第四巻取器３２ｄ、第五巻取器３２ｅ、Ｏ環３４ａ、Ｏ環３４ｂ及び第三リングとしてのＯ環３４ｃを備えている。主親綱部９２は、第一フック２４ａ、第二フック２４ｂ、第一連結具２６ａ、第二連結具２６ｂ、第一親綱２８ａ、第二親綱２８ｂ、連結親綱２８ｅ、第一伸縮調節器３０ａ、第二伸縮調節器３０ｂ及び第五伸縮調節器３０ｅを備えている。一の補助親綱部９４ａは、第三フック２４ｃ、第三親綱２８ｃ及び第三伸縮調節器３０ｃを備えている。他の補助親綱部９４ｂは、第四フック２４ｄ、第四親綱２８ｄ及び第四伸縮調節器３０ｄを備えている。
【００８９】
この第四フック２４ｄは、第一フック２４ａと同様の構造である。第四親綱２８ｄ及び連結親綱２８ｅは、第一親綱２８ａと同様の構造である。第四伸縮調節器３０ｄ及び第五伸縮調節器３０ｅは、第一伸縮調節器３０ａと同様の構造である。第四巻取器３２ｄ及び第五巻取器３２ｅは、第一巻取器３２ａと同様の構造である。第一連結具２６ａ及び第二連結具２６ｂは連結具２６と同様の構造である。Ｏ環３４ｃはＯ環３４ａと同様の構造である。
【００９０】
この安全帯取付装置９０では、第四フック２４ｄが第四親綱２８ｄの一端のカラビナ５４に連結されている。第四フック２４ｄと第四親綱２８ｄの一端とが連結されている。この第四親綱２８ｄには第四伸縮調節器３０ｄが連結されている。連結親綱２８ｅには第五伸縮調節器３０ｅが連結されている。
【００９１】
この安全帯取付装置９０では、第一フック２４ａが一方の螻羽９６ａに係止されている。第二フック２４ｂが他方の螻羽９６ｂに係止されている。第一伸縮調節器３０ａが第一連結具２６ａに連結されている。連結親綱２８ｅに連結された第五伸縮調節器３０ｅが第一連結具２６ａに連結されている。第一親綱２８ａと連結親綱２８ｅとが第一連結具２６ａを間にして一直線状に連結されている。連結親綱２８ｅのカラビナ５４が第二連結具２６ｂに連結されている。第二伸縮調節器３０ｂが第二連結具２６ｂに連結されている。連結親綱２８ｅと第二親綱２８ｂとが第二連結具２６ｂを間にして一直線状に連結されている。ここでは、第五伸縮調節器３０ｅが第一連結具２６ａに連結され、連結親綱２８ｅのの一端のカラビナ５４が第二連結具２６ｂに連結されている。これとは逆に、連結親綱２８ｅのカラビナ５４が第一連結具２６ａに連結され、第五伸縮調節器３０ｅが第二連結具２６ｂに連結されてもよい。
【００９２】
第一伸縮調節器３０ａが、第一親綱２８ａの一端から第一伸縮調節器３０ａまでの第一親綱２８ａの長さを調節している。第二伸縮調節器３０ｂが、第二親綱２８ｂの一端から第二伸縮調節器３０ｂまでの第二親綱２８ｂの長さを調節している。第五伸縮調節器３０ｅが連結親綱２８ｅの一端のカラビナ５４から第五伸縮調節器３０ｅまでの連結親綱２８ｅの長さを調節している。これにより、第一親綱２８ａ、第一連結具２６ａ、連結親綱２８ｅ、第二連結具２６ｂ及び第二親綱２８ｂが一直線状に張られている。
【００９３】
第三フック２４ｃが一方の軒先９８ａに係止されている。第三伸縮調節器３０ｃが第一連結具２６ａに連結されている。第三伸縮調節器３０ｃにより、第三親綱２８ｃの一端から第三伸縮調節器３０ｃまでの第三親綱２８ｃの長さが調節されている。これにより、第三親綱２８ｃは、第一親綱２８ａと連結親綱２８ｅとに直交して張られている。第三親綱２８ｃは、大棟９６と交差して張られている。
【００９４】
第四フック２４ｄが一方の軒先９８ａに係止されている。第四伸縮調節器３０ｄが第二連結具２６ｂに連結されている。第四伸縮調節器３０ｄにより、第四親綱２８ｄの一端から第四伸縮調節器３０ｄまでの第四親綱２８ｄの長さが調節されている。これにより、第四親綱２８ｄは、第二親綱２８ｂと連結親綱２８ｅとに直交して張られている。第四親綱２８ｄは、大棟９６と交差して張られている。第三親綱２８ｃと第四親綱２８ｄとが間隔をあけて平行に張られている。
【００９５】
第一親綱２８ａと第一巻取器３２ａとは、Ｏ環３４ａを用いて連結されている。第二親綱２８ｂと第二巻取器３２ｂとは、Ｏ環３４ｂを用いて連結されている。連結親綱２８ｅと第五巻取器３２ｅとは、Ｏ環３４ｃを用いて連結されている。第三巻取器３２ｃは、第一連結具２６ａに連結されている。第四巻取器３２ｄは、第二連結具２６ｂに連結されている。図示されないが、第一巻取器３２ａ、第二巻取器３２ｂ、第三巻取器３２ｃ、第四巻取器３２ｄ及び第五巻取器３２ｅに、それぞれ安全帯が連結される。
【００９６】
この安全帯取付装置９０では、主親綱部９２と、補助親綱部９４ａ及び補助親綱部９４ｂとが直交して張られているので、落下距離が小さくされている。螻羽９６ａから螻羽９６ｂまでの間隔が大きい屋根においても、落下距離が小さい。また、主親綱部９２の下方への位置ずれを最小限にする観点から、第一フック２４ａが係止される第一縁である螻羽９６ａと、第二フック２４ｂが係止される第二縁である螻羽９６ｂと、補助親綱部９４ａと、補助親綱部９４ｂとが、主親綱部９２の長手方向に等間隔に位置することが好ましい。図１５に示されるように、この安全帯取付装置９０には、５箇所に安全帯が取り付けられる。この安全帯取付装置９０は、安全帯取付装置１６より、多数の作業者の転落を防止できる。更に、本発明に係る安全帯取付装置は、連結具と、連結親綱と、補助親綱部とを追加することにより、より多数の作業者の転落防止ができる。３以上の補助親綱部を有する安全帯取付装置では、主親綱の位置ずれを最小限にする観点から、主親綱部の長手方向に補助親綱部が等間隔に位置することが好ましい。この２以上の複数の補助親綱部を備える安全帯取付装置は、棟の長い屋根の作業に適している。
【実施例】
【００９７】
以下、安全帯取付装置の性能を確認するために行った種々の試験の結果が説明される。使用状態を模擬した試験によって、本発明の効果が明らかにされるが、この記載に基づいて本発明が限定的に解釈されるべきではない。
【００９８】
［試験１］
図１６（ａ）に示されるように、本発明に係る安全帯取付装置が切妻屋根に取り付けられた。連結具に連結された巻取器のフックに砂嚢が連結された。この砂嚢の質量は、８５ｋｇであった。この砂嚢が図１６（ａ）に示される矢印Ｃの向きに軒先から落とされた。図１６（ａ）の巻取器の位置から砂嚢が落下した後の巻取器の位置までの移動距離が測られた（巻取器の移動距離）。砂嚢が落下した後の繰り出されているストラップの長さと図１６（ａ）の状態で繰り出されているストラップの長さとの差が測定された（ストラップの操出長さ）。軒先から落下した後の砂嚢までの距離が測定された（落下距離）。
【００９９】
［比較試験１］
比較例として、図１６（ｂ）に示されるように、軒先に係止されるフックとそのフックと連結具とを連結する親綱とを設けない他は、試験１と同様にして、巻取器の移動距離、ストラップの操出長さ及び落下距離が測定された。
【０１００】
［試験２］
図１６（ｃ）に示されるように、試験１の使用状態に加えて、他方の螻羽に係止されたフックと連結具との間に延びる親綱にＯ環を用いて巻取器が連結された。この巻取器のフックにも質量８５ｋｇの砂嚢が連結された。２つの砂嚢が図１６（ｃ）に示される矢印Ｂ、Ｃの向きにそれぞれ軒先から落とされた。それぞれについて、巻取器の移動距離、ストラップの操出長さ及び落下距離が測定された。
【０１０１】
［試験３］
図１６（ｄ）に示されるように、試験２の使用状態に加えて、一方の螻羽に係止されたフックと連結具との間に延びる親綱にＯ環を用いて巻取器が連結された。この巻取器のフックにも質量８５ｋｇの砂嚢が連結された。３つの砂嚢が図１６（ｄ）に示される矢印Ａ、Ｂ、Ｃの向きにそれぞれ軒先から落とされた。それぞれについて、巻取器の移動距離、ストラップの操出長さ及び落下距離が測定された。
【０１０２】
［試験４］
図１６（ｅ）に示されるように、一方の螻羽に係止されたフックと連結具との間に延びる親綱に巻取器が連結された。この巻取器は、Ｏ環を用いて親綱に連結された。この巻取器のフックに質量８５ｋｇの砂嚢が連結された。この砂嚢が図１６（ｅ）に示される矢印Ａの向きに螻羽から落とされた。このときの巻取器の移動距離、ストラップの操出長さ及び落下距離が測定された。これらの測定結果が、下記の表に示されている。
【０１０３】
【表１】
0005773830.tif 000002
【０１０４】
表１に示されるように、本発明の実施形態に係る試験１から４と比較例としての比較試験１との比較から明かなように、本発明の係る安全帯取付装置は落下距離が短い。試験２及び試験３に示されるように、屋根から複数の作業者が落下したとしても、その落下距離は比較試験１の落下距離より短い。試験４に示されるように、螻羽から落下したとしてもその落下距離が比較試験１の落下距離より短い。この評価結果から、本発明の優位性は明らかである。
【符号の説明】
【０１０５】
１６、９０・・・安全帯取付装置
１８、９２・・・主親綱部
２０、９４（９４ａ、９４ｂ）・・・補助親綱部
２４（２４ａ、２４ｂ、２４ｃ）・・・フック
２６・・・連結具
２８（２８ａ、２８ｂ、２８ｃ）・・・親綱
３０（３０ａ、３０ｂ、３０ｃ）・・・伸縮調節器
３２（３２ａ、３２ｂ、３２ｃ）・・・巻取器
３４（３４ａ、３４ｂ）・・・Ｏ環
３６・・・柄部
３８・・・係止部
４０・・・連結環
４２・・・被覆
４４・・・貫通孔
４６・・・連結具本体
４８（４８ａ、４８ｂ、４８ｃ、４８ｄ）・・・Ｄ環
５０（５０ａ、５０ｂ）・・・帯
５２・・・綱本体
５４・・・カラビナ
５６・・・本体
５８・・・第一爪
６０・・・第二爪
６２・・・握り桿
６４・・・連結部
６６・・・バネ
６８・・・本体
７０・・・ストラップ
７２・・・フック
７４・・・カラビナ
７６・・・緩衝カバー
７８（７８ａ、７８ｂ）、９６（９６ａ、９６ｂ）・・・螻羽
８０（８０ａ、８０ｂ）、９８（９８ａ、９８ｂ）・・・軒先
８２・・・湾曲部
８３・・・大棟
８４（８４ａ、８４ｂ）・・・軒先
８６（８６ａ、８６ｂ）・・・軒先
８８・・・陸棟
【図１】
0005773830.tif 000003
【図２】
0005773830.tif 000004
【図３】
0005773830.tif 000005
【図４】
0005773830.tif 000006
【図５】
0005773830.tif 000007
【図６】
0005773830.tif 000008
【図７】
0005773830.tif 000009
【図８】
0005773830.tif 000010
【図９】
0005773830.tif 000011
【図１０】
0005773830.tif 000012
【図１１】
0005773830.tif 000013
【図１２】
0005773830.tif 000014
【図１３】
0005773830.tif 000015
【図１４】
0005773830.tif 000016
【図１５】
0005773830.tif 000017
【図１６】
0005773830.tif 000018
【図１７】
0005773830.tif 000019
【図１８】
0005773830.tif 000020